(57)【要約】【課題】本発明は水晶フレームを開示した。【解決手段】台座および前記台座の頂壁に固定的に装着された六角柱体が含まれ、前記台座にはギア空間が設置され、前記六角柱体には上方に開口した展示空間が設置され、前記展示空間の六つの端壁の中には水晶板が固定的に設置され、前記展示空間と前記ギヤ空間との間には中心対称の長孔が連通するように設置され、、前記展示空間の底壁には突き出し台が固定的に設置され、前記ギヤ空間の底壁の中には伝動空間及び前記伝動空間を囲むスライディング空間が六つ設置され、前記スライディング空間の中にはスライディングブロックがスライド可能に設置され、前記スライディングブロックの中には左右貫通の第一ネジ穴が設置され、前記第一ネジ穴の内部には第一ネジボルトがネジによって連結され、本発明の設備は多角度からの写真展示が可能とし、同時に写真を面替えすることで、両面展示も可能とする。【選択図】図１
2020179117.tif 000002
【特許請求の範囲】
【請求項１】
水晶フレームであって、台座および前記台座の頂壁に固定的に装着された六角柱体が含まれ、前記台座にはギア空間が設置され、前記六角柱体には上方に開口した展示空間が設置され、前記展示空間の六つの端壁の中には水晶板が固定的に設置され、前記展示空間と前記ギヤ空間との間には中心対称の長孔が連通するように設置され、、前記展示空間の底壁には突き出し台が固定的に設置され、前記ギヤ空間の底壁の中には伝動空間及び前記伝動空間を囲むスライディング空間が六つ設置され、前記スライディング空間の中にはスライディングブロックがスライド可能に設置され、前記スライディングブロックの中には左右貫通の第一ネジ穴が設置され、前記第一ネジ穴の内部には第一ネジボルトがネジによって連結され、前記第一ネジボルトのうち前記伝動空間に近接した側の末端は、前記伝動空間に入り込んでおり、また前記第一ネジボルトの前記末端には第一傘歯車が固定的に設置され、前記スライディングブロックの頂壁には第一転動軸が回転可能に設置され、前記第一転動軸は上に伸びて前記展示空間に入り込んでおり、また前記第一転動軸の末端には透明板が固定的に設置され、前記透明板の中には上方に開口したロックド溝が設置され、前記ギア空間にある前記第一転動軸の外表面には第一ギアが固定的に設置され、前記ギア空間の頂壁の中には前記突き出し台の内部に位置する動力空間が設置され、前記動力空間と前記ギア空間との間には第二転動軸が回転可能に設置され、前記ギア空間の内部にある前記第二転動軸の末端部分には第二ギアが固定的に設置され、前記動力空間の内部にある前記第二転動軸の末端部分には第二傘歯車が固定的に設置され、前記第二転動軸の中には上下貫通の抜き穴が設置され、前記動力空間の左側端壁の中には切替空間が設置され、前記切替空間の中には固定フレームは滑り可能に設置され、前記固定フレームの右側端壁の中には第一モーターが固定的に設置され、前記第一モーターの出力軸の右端には第三傘歯車が固定的に設置され、前記固定フレームには上下貫通の第二ネジ穴が設置され、前記第二ネジ穴の内部は第二ネジボルトとネジによって連結され、前記第二ネジボルトの底部は前記抜き穴を貫くことで、前記伝動空間に入り込んでおり、また前記第二ネジボルトの末端は前記伝動空間の底壁の中に固定的に設置された第二モーターと伝動できるように連結され、前記伝動空間の中にある前記第二ネジボルトの外表面には前記第一傘歯車と噛合う第四傘歯車が固定的に設置され、前記第一ギアは回転して前記透明板を半周連動させることで、写真の面変えを可能とすることを特徴とする水晶フレーム。
【請求項２】
前記動力空間の左端壁の中には前記切替空間の上方に位置する糸巻空間が設置され、前記糸巻空間と前記動力空間の間には第三転動軸が回転可能に設置され、前記動力空間の中にある前記第三転動軸の末端には前記第三傘歯車と噛合う第五傘歯車が固定的に設置され、前記糸巻空間にある前記第三転動軸の末端にはリールが固定的に設置され、前記糸巻空間の頂壁の中には外部空間と繋ぐスライディング孔が設置され、前記六角柱体の頂壁には滑車台が六つ中心対称に配置され、前記滑車台の中には滑車が回転可能に設置され、前記六角柱体の外部は滑り可能の六角ブロックに取り囲まれ、前記六角ブロックの頂壁の中には上方に開口した浄化空間が六つ中心対称に設置され、前記浄化空間の中には前記水晶板と当接した浄化ローラが回転可能に設置され、前記六角ブロックの頂壁には中心対称配置の引き線が六つ固定設置され、前記引き線の末端は前記リールの外表面に周設され、前記六角ブロックと前記台座の頂壁の間には引張バネが弾性設置され、前記リールは回転して前記六角ブロックを引き上げることで、前記浄化ローラを回転連動させ、前記水晶板を浄化することを特徴とする請求項１に記載の水晶フレーム。
【発明の詳細な説明】
【技術分野】
【０００１】
本発明はフレーム分野を取り上げて、具体的には水晶フレームである。
【背景技術】
【０００２】
人々は写真を展示する際には、常にフレームを用いて写真を固定する。中でも水晶フレームはその美観性で多数の人に愛用されている。しかし、伝統的な水晶フレームはシングルで、数少ない写真しか展示することができない。また、伝統的な水晶フレームはほこり積りやすいし、清潔にくいため、展示効果は大きく損なわれる。よって前述の問題を解決できるよう、新たな水晶フレームが差し迫って必要である。
【先行技術文献】
【特許文献】
【０００３】
【特許文献１】中国特許出願公開第109419238号明細書
【発明の概要】
【発明が解決しようとする課題】
【０００４】
本発明は水晶フレームを提供し、既存技術にある上記の欠点を解消することを目的とする。
【課題を解決するための手段】
【０００５】
本発明、即ち水晶フレームには、台座および前記台座の頂壁に固定的に装着された六角柱体が含まれ、前記台座にはギア空間が設置され、前記六角柱体には上方に開口した展示空間が設置され、前記展示空間の六つの端壁の中には水晶板が固定的に設置され、前記展示空間と前記ギヤ空間との間には中心対称の長孔が連通するように設置され、、前記展示空間の底壁には突き出し台が固定的に設置され、前記ギヤ空間の底壁の中には伝動空間及び前記伝動空間を囲むスライディング空間が六つ設置され、前記スライディング空間の中にはスライディングブロックがスライド可能に設置され、前記スライディングブロックの中には左右貫通の第一ネジ穴が設置され、前記第一ネジ穴の内部には第一ネジボルトがネジによって連結され、前記第一ネジボルトのうち前記伝動空間に近接した側の末端は、前記伝動空間に入り込んでおり、また前記第一ネジボルトの前記末端には第一傘歯車が固定的に設置され、前記スライディングブロックの頂壁には第一転動軸が回転可能に設置され、前記第一転動軸は上に伸びて前記展示空間に入り込んでおり、また前記第一転動軸の末端には透明板が固定的に設置され、前記透明板の中には上方に開口したロックド溝が設置され、前記ギア空間にある前記第一転動軸の外表面には第一ギアが固定的に設置され、前記ギア空間の頂壁の中には前記突き出し台の内部に位置する動力空間が設置され、前記動力空間と前記ギア空間との間には第二転動軸が回転可能に設置され、前記ギア空間の内部にある前記第二転動軸の末端部分には第二ギアが固定的に設置され、前記動力空間の内部にある前記第二転動軸の末端部分には第二傘歯車が固定的に設置され、前記第二転動軸の中には上下貫通の抜き穴が設置され、前記動力空間の左側端壁の中には切替空間が設置され、前記切替空間の中には固定フレームは滑り可能に設置され、前記固定フレームの右側端壁の中には第一モーターが固定的に設置され、前記第一モーターの出力軸の右端には第三傘歯車が固定的に設置され、前記固定フレームには上下貫通の第二ネジ穴が設置され、前記第二ネジ穴の内部は第二ネジボルトとネジによって連結され、前記第二ネジボルトの底部は前記抜き穴を貫くことで、前記伝動空間に入り込んでおり、また前記第二ネジボルトの末端は前記伝動空間の底壁の中に固定的に設置された第二モーターと伝動できるように連結され、前記伝動空間の中にある前記第二ネジボルトの外表面には前記第一傘歯車と噛合う第四傘歯車が固定的に設置され、前記第一ギアは回転して前記透明板を半周連動させることで、写真の面変えを可能とする。
【０００６】
有益的には、前記動力空間の左端壁の中には前記切替空間の上方に位置する糸巻空間が設置され、前記糸巻空間と前記動力空間の間には第三転動軸が回転可能に設置され、前記動力空間の中にある前記第三転動軸の末端には前記第三傘歯車と噛合う第五傘歯車が固定的に設置され、前記糸巻空間にある前記第三転動軸の末端にはリールが固定的に設置され、前記糸巻空間の頂壁の中には外部空間と繋ぐスライディング孔が設置され、前記六角柱体の頂壁には滑車台が六つ中心対称に配置され、前記滑車台の中には滑車が回転可能に設置され、前記六角柱体の外部は滑り可能の六角ブロックに取り囲まれ、前記六角ブロックの頂壁の中には上方に開口した浄化空間が六つ中心対称に設置され、前記浄化空間の中には前記水晶板と当接した浄化ローラが回転可能に設置され、前記六角ブロックの頂壁には中心対称配置の引き線が六つ固定設置され、前記引き線の末端は前記リールの外表面に周設され、前記六角ブロックと前記台座の頂壁の間には引張バネが弾性設置され、前記リールは回転して前記六角ブロックを引き上げることで、前記浄化ローラを回転連動させ、前記水晶板を浄化する。
【発明の効果】
【０００７】
本発明の設備は多角度からの写真展示が可能とし、同時に写真を面替えすることで、両面展示も可能とする。設備には浄化装置が内設され、水晶板を浄化することで、よりよい展示効果が与えられる。
【図面の簡単な説明】
【０００８】
説明をわかりやすくさせるため、下記の方向を以下のように規定する：図１は本発明装置の正面図であり、以下に述べる上下左右前後の方向と図１本体の投影関係の上下左右前後の方向とが一致である
【０００９】
【図１】図１は本発明、即ち水晶フレームの全体構造の見取り図
【図２】図２は図１におけるＡ方向からの見取り図
【図３】図３は図１におけるＢの拡大構造の見取り図
【図４】図４は図２におけるＣの拡大構造の見取り図
【発明を実施するための形態】
【００１０】
下記に附図１〜４を交え、本発明について詳しく説明する。簡潔に述べるよう、ここで下記の方位を規定する：下記の上下左右前後方向は図１本体における投影関係の上下左右前後の方向と一致する。
【００１１】
本発明、即ち水晶フレームには、台座および前記台座の頂壁に固定的に装着された六角柱体が含まれ、前記台座にはギア空間が設置され、前記六角柱体には上方に開口した展示空間が設置され、前記展示空間の六つの端壁の中には水晶板が固定的に設置され、前記展示空間と前記ギヤ空間との間には中心対称の長孔が連通するように設置され、、前記展示空間の底壁には突き出し台が固定的に設置され、前記ギヤ空間の底壁の中には伝動空間及び前記伝動空間を囲むスライディング空間が六つ設置され、前記スライディング空間の中にはスライディングブロックがスライド可能に設置され、前記スライディングブロックの中には左右貫通の第一ネジ穴が設置され、前記第一ネジ穴の内部には第一ネジボルトがネジによって連結され、前記第一ネジボルトのうち前記伝動空間に近接した側の末端は、前記伝動空間に入り込んでおり、また前記第一ネジボルトの前記末端には第一傘歯車が固定的に設置され、前記スライディングブロックの頂壁には第一転動軸が回転可能に設置され、前記第一転動軸は上に伸びて前記展示空間に入り込んでおり、また前記第一転動軸の末端には透明板が固定的に設置され、前記透明板の中には上方に開口したロックド溝が設置され、前記ギア空間にある前記第一転動軸の外表面には第一ギアが固定的に設置され、前記ギア空間の頂壁の中には前記突き出し台の内部に位置する動力空間が設置され、前記動力空間と前記ギア空間との間には第二転動軸が回転可能に設置され、前記ギア空間の内部にある前記第二転動軸の末端部分には第二ギアが固定的に設置され、前記動力空間の内部にある前記第二転動軸の末端部分には第二傘歯車が固定的に設置され、前記第二転動軸の中には上下貫通の抜き穴が設置され、前記動力空間の左側端壁の中には切替空間が設置され、前記切替空間の中には固定フレームは滑り可能に設置され、前記固定フレームの右側端壁の中には第一モーターが固定的に設置され、前記第一モーターの出力軸の右端には第三傘歯車が固定的に設置され、前記固定フレームには上下貫通の第二ネジ穴が設置され、前記第二ネジ穴の内部は第二ネジボルトとネジによって連結され、前記第二ネジボルトの底部は前記抜き穴を貫くことで、前記伝動空間に入り込んでおり、また前記第二ネジボルトの末端は前記伝動空間の底壁の中に固定的に設置された第二モーターと伝動できるように連結され、前記伝動空間の中にある前記第二ネジボルトの外表面には前記第一傘歯車と噛合う第四傘歯車が固定的に設置され、前記第一ギアは回転して前記透明板を半周連動させることで、写真の面変えを可能とする。
【００１２】
有益的には、前記動力空間の左端壁の中には前記切替空間の上方に位置する糸巻空間が設置され、前記糸巻空間と前記動力空間の間には第三転動軸が回転可能に設置され、前記動力空間の中にある前記第三転動軸の末端には前記第三傘歯車と噛合う第五傘歯車が固定的に設置され、前記糸巻空間にある前記第三転動軸の末端にはリールが固定的に設置され、前記糸巻空間の頂壁の中には外部空間と繋ぐスライディング孔が設置され、前記六角柱体の頂壁には滑車台が六つ中心対称に配置され、前記滑車台の中には滑車が回転可能に設置され、前記六角柱体の外部は滑り可能の六角ブロックに取り囲まれ、前記六角ブロックの頂壁の中には上方に開口した浄化空間が六つ中心対称に設置され、前記浄化空間の中には前記水晶板と当接した浄化ローラが回転可能に設置され、前記六角ブロックの頂壁には中心対称配置の引き線が六つ固定設置され、前記引き線の末端は前記リールの外表面に周設され、前記六角ブロックと前記台座の頂壁の間には引張バネが弾性設置され、前記リールは回転して前記六角ブロックを引き上げることで、前記浄化ローラを回転連動させ、前記水晶板を浄化する。
【００１３】
次に、附図１〜４および前述した本願における水晶フレームの具体構成を参考し、工作の流れを詳しく説明する。
【００１４】
両面に異なった風景を写した写真を前記透明板１６にある固定溝１７の中に置き、この時前記水晶板１５を通って、便利に写真を眺められ、前記水晶板１５の外表面に埃が積もった場合には、前記第一モーター４５を起動し、前記第三傘歯車４６を連動回転回転連動させ、そして前記第五傘歯車４８および前記糸巻輪リール３９を連動回転回転連動させ、さらに前記六角ブロック３５を引き上げ、最後に前記浄化ローラ３６を連動回転回転連動させ、前記水晶板１５を浄化することができ、写真を面替えする時には、前記第二モーター２８を起動し、前記第四傘歯車２９を連動回転回転連動させ、そして前記第一傘歯車２６及び前記第一ネジボルト３１を連動回転回転連動させることで、前記第一ネジボルト３１は前記スライディングブロックはを連動回転連動でさせて移動させし、前記透明板１６を連動移動連動させ、同時に前記第一ギア１２は前記第二ギア２４と噛合い、同時に前記第二モーター２８は回転して第二ネジボルト４０を連動回転回転連動させ、そして前記固定フレーム４２は引き下げられ、さらに前記第三傘歯車４６は引き下げられることで前記第二傘歯車４４と噛合い、この時前記第一モーター４５を起動し、前記第三傘歯車４６を連動回転回転連動させ、そして前記第二傘歯車４４及び前記第二ギア２４を連動回転回転連動させ、さらに前記第一ギア１２を連動回転回転連動させ、最後に前記第一ギア１２は回転して前記透明板１６を半周に連動回転連動させることで、写真を面替えでき、この時前記第二モーター２８を起動し、前記第二ネジボルト４０を逆方向に連動回転回転連動させ、そして前記スライディングブロック３２を復位させ、前記透明板１６と前記水晶板１５とを貼り合わせることで、より便利な展示を取り上げる。
【００１５】
上記の分析からわかるように：本発明の設備は多角度からの写真展示が可能とし、同時に写真を面替えすることで、両面展示も可能とする。設備には浄化装置が内設され、水晶板を浄化することで、よりよい展示効果が与えられる。
【００１６】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020179117.tif 000003
【図２】
2020179117.tif 000004
【図３】
2020179117.tif 000005
【図４】
2020179117.tif 000006
【手続補正書】
【提出日】令和2年2月12日(2020.2.12)
【手続補正１】
【補正対象書類名】特許請求の範囲
【補正対象項目名】全文
【補正方法】変更
【補正の内容】
【特許請求の範囲】
【請求項１】
水晶フレームであって、台座および前記台座の頂壁に固定的に装着された六角柱体が含まれ、前記台座にはギア空間が設置され、前記六角柱体には上方に開口した展示空間が設置され、前記展示空間の六つの端壁の中には水晶板が固定的に設置され、前記展示空間と前記ギヤ空間との間には中心対称の長孔が連通するように設置され、、前記展示空間の底壁には突き出し台が固定的に設置され、前記ギヤ空間の底壁の中には伝動空間及び前記伝動空間を囲むスライディング空間が六つ設置され、前記スライディング空間の中にはスライディングブロックがスライド可能に設置され、前記スライディングブロックの中には左右貫通の第一ネジ穴が設置され、前記第一ネジ穴の内部には第一ネジボルトがネジによって連結され、前記第一ネジボルトのうち前記伝動空間に近接した側の末端は、前記伝動空間に入り込んでおり、また前記第一ネジボルトの前記末端には第一傘歯車が固定的に設置され、前記スライディングブロックの頂壁には第一転動軸が回転可能に設置され、前記第一転動軸は上に伸びて前記展示空間に入り込んでおり、また前記第一転動軸の末端には透明板が固定的に設置され、前記透明板の中には上方に開口した固定溝が設置され、前記固定溝に写真を収納でき、前記ギア空間にある前記第一転動軸の外表面には第一ギアが固定的に設置され、前記ギア空間の頂壁の中には前記突き出し台の内部に位置する動力空間が設置され、前記動力空間と前記ギア空間との間には第二転動軸が回転可能に設置され、前記ギア空間の内部にある前記第二転動軸の末端部分には第二ギアが固定的に設置され、前記動力空間の内部にある前記第二転動軸の末端部分には第二傘歯車が固定的に設置され、前記第二転動軸の中には上下貫通の抜き穴が設置され、前記動力空間の左側端壁の中には切替空間が設置され、前記切替空間の中には固定フレームは滑り可能に設置され、前記固定フレームの右側端壁の中には第一モーターが固定的に設置され、前記第一モーターの出力軸の右端には第三傘歯車が固定的に設置され、前記固定フレームには上下貫通の第二ネジ穴が設置され、前記第二ネジ穴の内部は第二ネジボルトとネジによって連結され、前記第二ネジボルトの底部は前記抜き穴を貫くことで、前記伝動空間に入り込んでおり、また前記第二ネジボルトの末端は前記伝動空間の底壁の中に固定的に設置された第二モーターと伝動できるように連結され、前記伝動空間の中にある前記第二ネジボルトの外表面には前記第一傘歯車と噛合う第四傘歯車が固定的に設置され、前記第一ギアは回転して前記透明板を半周連動させることで、写真の面変えを可能とすることを特徴とする水晶フレーム。
【請求項２】
前記動力空間の左端壁の中には前記切替空間の上方に位置する糸巻空間が設置され、前記糸巻空間と前記動力空間の間には第三転動軸が回転可能に設置され、前記動力空間の中にある前記第三転動軸の末端には前記第三傘歯車と噛合う第五傘歯車が固定的に設置され、前記糸巻空間にある前記第三転動軸の末端にはリールが固定的に設置され、前記糸巻空間の頂壁の中には外部空間と繋ぐスライディング孔が設置され、前記六角柱体の頂壁には滑車台が六つ中心対称に配置され、前記滑車台の中には滑車が回転可能に設置され、前記六角柱体の外部は滑り可能の六角ブロックに取り囲まれ、前記六角ブロックの頂壁の中には上方に開口した浄化空間が六つ中心対称に設置され、前記浄化空間の中には前記水晶板と当接した浄化ローラが回転可能に設置され、前記六角ブロックの頂壁には中心対称配置の引き線が六つ固定設置され、前記引き線の末端は前記リールの外表面に周設され、前記六角ブロックと前記台座の頂壁の間には引張バネが弾性設置され、前記リールは回転して前記六角ブロックを引き上げることで、前記浄化ローラを回転連動させ、前記水晶板を浄化することを特徴とする請求項１に記載の水晶フレーム。 
【手続補正２】
【補正対象書類名】明細書
【補正対象項目名】全文
【補正方法】変更
【補正の内容】
【発明の詳細な説明】
【技術分野】
【０００１】
本発明はフレーム分野を取り上げて、具体的には水晶フレームである。
【背景技術】
【０００２】
人々は写真を展示する際には、常にフレームを用いて写真を固定する。中でも水晶フレームはその美観性で多数の人に愛用されている。しかし、伝統的な水晶フレームはシングルで、数少ない写真しか展示することができない。また、伝統的な水晶フレームはほこり積りやすいし、清潔にくいため、展示効果は大きく損なわれる。よって前述の問題を解決できるよう、新たな水晶フレームが差し迫って必要である。
【先行技術文献】
【特許文献】
【０００３】
【特許文献１】中国特許出願公開第109419238号明細書
【発明の概要】
【発明が解決しようとする課題】
【０００４】
本発明は水晶フレームを提供し、既存技術にある上記の欠点を解消することを目的とする。
【課題を解決するための手段】
【０００５】
本発明、即ち水晶フレームには、台座および前記台座の頂壁に固定的に装着された六角柱体が含まれ、前記台座にはギア空間が設置され、前記六角柱体には上方に開口した展示空間が設置され、前記展示空間の六つの端壁の中には水晶板が固定的に設置され、前記展示空間と前記ギヤ空間との間には中心対称の長孔が連通するように設置され、、前記展示空間の底壁には突き出し台が固定的に設置され、前記ギヤ空間の底壁の中には伝動空間及び前記伝動空間を囲むスライディング空間が六つ設置され、前記スライディング空間の中にはスライディングブロックがスライド可能に設置され、前記スライディングブロックの中には左右貫通の第一ネジ穴が設置され、前記第一ネジ穴の内部には第一ネジボルトがネジによって連結され、前記第一ネジボルトのうち前記伝動空間に近接した側の末端は、前記伝動空間に入り込んでおり、また前記第一ネジボルトの前記末端には第一傘歯車が固定的に設置され、前記スライディングブロックの頂壁には第一転動軸が回転可能に設置され、前記第一転動軸は上に伸びて前記展示空間に入り込んでおり、また前記第一転動軸の末端には透明板が固定的に設置され、前記透明板の中には上方に開口した固定溝が設置され、前記ギア空間にある前記第一転動軸の外表面には第一ギアが固定的に設置され、前記ギア空間の頂壁の中には前記突き出し台の内部に位置する動力空間が設置され、前記動力空間と前記ギア空間との間には第二転動軸が回転可能に設置され、前記ギア空間の内部にある前記第二転動軸の末端部分には第二ギアが固定的に設置され、前記動力空間の内部にある前記第二転動軸の末端部分には第二傘歯車が固定的に設置され、前記第二転動軸の中には上下貫通の抜き穴が設置され、前記動力空間の左側端壁の中には切替空間が設置され、前記切替空間の中には固定フレームは滑り可能に設置され、前記固定フレームの右側端壁の中には第一モーターが固定的に設置され、前記第一モーターの出力軸の右端には第三傘歯車が固定的に設置され、前記固定フレームには上下貫通の第二ネジ穴が設置され、前記第二ネジ穴の内部は第二ネジボルトとネジによって連結され、前記第二ネジボルトの底部は前記抜き穴を貫くことで、前記伝動空間に入り込んでおり、また前記第二ネジボルトの末端は前記伝動空間の底壁の中に固定的に設置された第二モーターと伝動できるように連結され、前記伝動空間の中にある前記第二ネジボルトの外表面には前記第一傘歯車と噛合う第四傘歯車が固定的に設置され、前記第一ギアは回転して前記透明板を半周連動させることで、写真の面変えを可能とする。
【０００６】
有益的には、前記動力空間の左端壁の中には前記切替空間の上方に位置する糸巻空間が設置され、前記糸巻空間と前記動力空間の間には第三転動軸が回転可能に設置され、前記動力空間の中にある前記第三転動軸の末端には前記第三傘歯車と噛合う第五傘歯車が固定的に設置され、前記糸巻空間にある前記第三転動軸の末端にはリールが固定的に設置され、前記糸巻空間の頂壁の中には外部空間と繋ぐスライディング孔が設置され、前記六角柱体の頂壁には滑車台が六つ中心対称に配置され、前記滑車台の中には滑車が回転可能に設置され、前記六角柱体の外部は滑り可能の六角ブロックに取り囲まれ、前記六角ブロックの頂壁の中には上方に開口した浄化空間が六つ中心対称に設置され、前記浄化空間の中には前記水晶板と当接した浄化ローラが回転可能に設置され、前記六角ブロックの頂壁には中心対称配置の引き線が六つ固定設置され、前記引き線の末端は前記リールの外表面に周設され、前記六角ブロックと前記台座の頂壁の間には引張バネが弾性設置され、前記リールは回転して前記六角ブロックを引き上げることで、前記浄化ローラを回転連動させ、前記水晶板を浄化する。
【発明の効果】
【０００７】
本発明の設備は多角度からの写真展示が可能とし、同時に写真を面替えすることで、両面展示も可能とする。設備には浄化装置が内設され、水晶板を浄化することで、よりよい展示効果が与えられる。
【図面の簡単な説明】
【０００８】
説明をわかりやすくさせるため、下記の方向を以下のように規定する：図１は本発明装置の正面図であり、以下に述べる上下左右前後の方向と図１本体の投影関係の上下左右前後の方向とが一致である
【０００９】
【図１】図１は本発明、即ち水晶フレームの全体構造の見取り図
【図２】図２は図１におけるＡ方向からの見取り図
【図３】図３は図１におけるＢの拡大構造の見取り図
【図４】図４は図２におけるＣの拡大構造の見取り図
【発明を実施するための形態】
【００１０】
下記に附図１〜４を交え、本発明について詳しく説明する。簡潔に述べるよう、ここで下記の方位を規定する：下記の上下左右前後方向は図１本体における投影関係の上下左右前後の方向と一致する。
【００１１】
本発明、即ち水晶フレームには、台座１０および前記台座１０の頂壁に固定的に装着された六角柱体１８が含まれ、前記台座１０にはギア空間１１が設置され、前記六角柱体１８には上方に開口した展示空間２２が設置され、前記展示空間２２の六つの端壁の中には水晶板１５が固定的に設置され、前記展示空間２２と前記ギヤ空間との間には中心対称の長孔１４が連通するように設置され、、前記展示空間２２の底壁には突き出し台２１が固定的に設置され、前記ギア空間１１の底壁の中には伝動空間２７及び前記伝動空間２７を囲むスライディング空間３０が六つ設置され、前記スライディング空間３０の中にはスライディングブロック３２がスライド可能に設置され、前記スライディングブロック３２の中には左右貫通の第一ネジ穴３３が設置され、前記第一ネジ穴３３の内部には第一ネジボルト３１がネジによって連結され、前記第一ネジボルト３１のうち前記伝動空間２７に近接した側の末端は、前記伝動空間２７に入り込んでおり、また前記第一ネジボルト３１の前記末端には第一傘歯車２６が固定的に設置され、前記スライディングブロック３２の頂壁には第一転動軸１３が回転可能に設置され、前記第一転動軸１３は上に伸びて前記展示空間２２に入り込んでおり、また前記第一転動軸１３の末端には透明板１６が固定的に設置され、前記透明板１６の中には上方に開口した固定溝１７が設置され、前記ギア空間１１にある前記第一転動軸１３の外表面には第一ギア１２が固定的に設置され、前記ギア空間１１の頂壁の中には前記突き出し台２１の内部に位置する動力空間４９が設置され、前記動力空間４９と前記ギア空間１１との間には第二転動軸２３が回転可能に設置され、前記ギア空間１１の内部にある前記第二転動軸２３の末端部分には第二ギア２４が固定的に設置され、前記動力空間４９の内部にある前記第二転動軸２３の末端部分には第二傘歯車４４が固定的に設置され、前記第二転動軸２３の中には上下貫通の抜き穴２５が設置され、前記動力空間４９の左側端壁の中には切替空間４３が設置され、前記切替空間４３の中には固定フレーム４２は滑り可能に設置され、前記固定フレーム４２の右側端壁の中には第一モーター４５が固定的に設置され、前記第一モーター４５の出力軸の右端には第三傘歯車４６が固定的に設置され、前記固定フレーム４２には上下貫通の第二ネジ穴４１が設置され、前記第二ネジ穴４１の内部は第二ネジボルト４０とネジによって連結され、前記第二ネジボルト４０の底部は前記抜き穴２５を貫くことで、前記伝動空間２７に入り込んでおり、また前記第二ネジボルト４０の末端は前記伝動空間２７の底壁の中に固定的に設置された第二モーター２８と伝動できるように連結され、前記伝動空間２７の中にある前記第二ネジボルト４０の外表面には前記第一傘歯車２６と噛合う第四傘歯車２９が固定的に設置され、前記第一ギア１２は回転して前記透明板１６を半周連動させることで、写真の面変えを可能とする。
【００１２】
有益的には、前記動力空間４９の左端壁の中には前記切替空間４３の上方に位置する糸巻空間３８が設置され、前記糸巻空間３８と前記動力空間４９の間には第三転動軸４７が回転可能に設置され、前記動力空間４９の中にある前記第三転動軸４７の末端には前記第三傘歯車４６と噛合う第五傘歯車４８が固定的に設置され、前記糸巻空間３８にある前記第三転動軸４７の末端にはリール３９が固定的に設置され、前記糸巻空間３８の頂壁の中には外部空間と繋ぐスライディング孔２０が設置され、前記六角柱体１８の頂壁には滑車５０台５１が六つ中心対称に配置され、前記滑車５０台５１の中には滑車５０が回転可能に設置され、前記六角柱体１８の外部は滑り可能の六角ブロック３５に取り囲まれ、前記六角ブロック３５の頂壁の中には上方に開口した浄化空間３７が六つ中心対称に設置され、前記浄化空間３７の中には前記水晶板１５と当接した浄化ローラ３６が回転可能に設置され、前記六角ブロック３５の頂壁には中心対称配置の引き線１９が六つ固定設置され、前記引き線１９の末端は前記リール３９の外表面に周設され、前記六角ブロック３５と前記台座１０の頂壁の間には引張バネ５２が弾性設置され、前記リール３９は回転して前記六角ブロック３５を引き上げることで、前記浄化ローラ３６を回転連動させ、前記水晶板１５を浄化する。
【００１３】
次に、附図１〜４および前述した本願における水晶フレームの具体構成を参考し、工作の流れを詳しく説明する。
【００１４】
両面に異なった風景を写した写真を前記透明板１６にある固定溝１７の中に置き、この時前記水晶板１５を通って、便利に写真を眺められ、前記水晶板１５の外表面に埃が積もった場合には、前記第一モーター４５を起動し、前記第三傘歯車４６を連動回転回転連動させ、そして前記第五傘歯車４８および前記糸巻輪リール３９を連動回転回転連動させ、さらに前記六角ブロック３５を引き上げ、最後に前記浄化ローラ３６を連動回転回転連動させ、前記水晶板１５を浄化することができ、写真を面替えする時には、前記第二モーター２８を起動し、前記第四傘歯車２９を連動回転回転連動させ、そして前記第一傘歯車２６及び前記第一ネジボルト３１を連動回転回転連動させることで、前記第一ネジボルト３１は前記スライディングブロックはを連動回転連動でさせて移動させし、前記透明板１６を連動移動連動させ、同時に前記第一ギア１２は前記第二ギア２４と噛合い、同時に前記第二モーター２８は回転して第二ネジボルト４０を連動回転回転連動させ、そして前記固定フレーム４２は引き下げられ、さらに前記第三傘歯車４６は引き下げられることで前記第二傘歯車４４と噛合い、この時前記第一モーター４５を起動し、前記第三傘歯車４６を連動回転回転連動させ、そして前記第二傘歯車４４及び前記第二ギア２４を連動回転回転連動させ、さらに前記第一ギア１２を連動回転回転連動させ、最後に前記第一ギア１２は回転して前記透明板１６を半周に連動回転連動させることで、写真を面替えでき、この時前記第二モーター２８を起動し、前記第二ネジボルト４０を逆方向に連動回転回転連動させ、そして前記スライディングブロック３２を復位させ、前記透明板１６と前記水晶板１５とを貼り合わせることで、より便利な展示を取り上げる。
【００１５】
上記の分析からわかるように：本発明の設備は多角度からの写真展示が可能とし、同時に写真を面替えすることで、両面展示も可能とする。設備には浄化装置が内設され、水晶板を浄化することで、よりよい展示効果が与えられる。
【００１６】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【手続補正書】
【提出日】令和2年4月27日(2020.4.27)
【手続補正１】
【補正対象書類名】特許請求の範囲
【補正対象項目名】全文
【補正方法】変更
【補正の内容】
【特許請求の範囲】
【請求項１】
水晶フレームであって、台座および前記台座の頂壁に固定的に装着された六角柱体が含まれ、前記台座にはギア空間が設置され、前記六角柱体には上方に開口した展示空間が設置され、前記展示空間の六つの端壁の中には水晶板が固定的に設置され、前記展示空間と前記ギヤ空間との間には中心対称の長孔が連通するように設置され、、前記展示空間の底壁には突き出し台が固定的に設置され、前記ギヤ空間の底壁の中には伝動空間及び前記伝動空間を囲むスライディング空間が六つ設置され、前記スライディング空間の中にはスライディングブロックがスライド可能に設置され、前記スライディングブロックの中には左右貫通の第一ネジ穴が設置され、前記第一ネジ穴の内部には第一ネジボルトがネジによって連結され、前記第一ネジボルトのうち前記伝動空間に近接した側の末端は、前記伝動空間に入り込んでおり、また前記第一ネジボルトの前記末端には第一傘歯車が固定的に設置され、前記スライディングブロックの頂壁には第一転動軸が回転可能に設置され、前記第一転動軸は上に伸びて前記展示空間に入り込んでおり、また前記第一転動軸の末端には透明板が固定的に設置され、前記透明板の中には上方に開口した固定溝が設置され、前記固定溝に写真を収納でき、前記ギア空間にある前記第一転動軸の外表面には第一ギアが固定的に設置され、前記ギア空間の頂壁の中には前記突き出し台の内部に位置する動力空間が設置され、前記動力空間と前記ギア空間との間には第二転動軸が回転可能に設置され、前記ギア空間の内部にある前記第二転動軸の末端部分には第二ギアが固定的に設置され、前記動力空間の内部にある前記第二転動軸の末端部分には第二傘歯車が固定的に設置され、前記第二転動軸の中には上下貫通の抜き穴が設置され、前記動力空間の左側端壁の中には切替空間が設置され、前記切替空間の中には固定フレームは滑り可能に設置され、前記固定フレームの右側端壁の中には第一モーターが固定的に設置され、前記第一モーターの出力軸の右端には第三傘歯車が固定的に設置され、前記固定フレームには上下貫通の第二ネジ穴が設置され、前記第二ネジ穴の内部は第二ネジボルトとネジによって連結され、前記第二ネジボルトの底部は前記抜き穴を貫くことで、前記伝動空間に入り込んでおり、また前記第二ネジボルトの末端は前記伝動空間の底壁の中に固定的に設置された第二モーターと伝動できるように連結され、前記伝動空間の中にある前記第二ネジボルトの外表面には前記第一傘歯車と噛合う第四傘歯車が固定的に設置され、前記第一ギアは回転して前記透明板を半周連動させることで、写真の面変えを可能とし、
前記動力空間の左端壁の中には前記切替空間の上方に位置する糸巻空間が設置され、前記糸巻空間と前記動力空間の間には第三転動軸が回転可能に設置され、前記動力空間の中にある前記第三転動軸の末端には前記第三傘歯車と噛合う第五傘歯車が固定的に設置され、前記糸巻空間にある前記第三転動軸の末端にはリールが固定的に設置され、前記糸巻空間の頂壁の中には外部空間と繋ぐスライディング孔が設置され、前記六角柱体の頂壁には滑車台が六つ中心対称に配置され、前記滑車台の中には滑車が回転可能に設置され、前記六角柱体の外部は滑り可能の六角ブロックに取り囲まれ、前記六角ブロックの頂壁の中には上方に開口した浄化空間が六つ中心対称に設置され、前記浄化空間の中には前記水晶板と当接した浄化ローラが回転可能に設置され、前記六角ブロックの頂壁には中心対称配置の引き線が六つ固定設置され、前記引き線の末端は前記リールの外表面に周設され、前記六角ブロックと前記台座の頂壁の間には引張バネが弾性設置され、前記リールは回転して前記六角ブロックを引き上げることで、前記浄化ローラを回転連動させ、前記水晶板を浄化し、
両面に異なった風景を写した写真を前記透明板にある前記固定溝の中に置き、この時前記水晶板を通って、便利に写真を眺められ、前記水晶板の外表面に埃が積もった場合には、前記第一モーターを起動し、前記第三傘歯車を連動させて回転させ、そして前記第五傘歯車および前記糸巻輪リールを連動させて回転させ、さらに前記六角ブロックを引き上げ、最後に前記浄化ローラを連動させて回転させ、前記水晶板を浄化することができ、写真を面替えする時には、前記第二モーターを起動し、前記第四傘歯車を連動させて回転させ、そして前記第一傘歯車及び前記第一ネジボルトを連動させて回転させることで、前記第一ネジボルトは前記スライディングブロックはを連動でさせて移動させし、前記透明板を連動させて移動させ、同時に前記第一ギアは前記第二ギアと噛合い、同時に前記第二モーターは回転して前記第二ネジボルトを連動させて回転させ、そして前記固定フレームは引き下げられ、さらに前記第三傘歯車は引き下げられることで前記第二傘歯車と噛合い、この時前記第一モーターを起動し、前記第三傘歯車を連動させて回転させ、そして前記第二傘歯車及び前記第二ギアを連動させて回転させ、さらに前記第一ギアを連動させて回転させ、最後に前記第一ギアは回転して前記透明板を半周に連動させて回転させることで、写真を面替えでき、この時前記第二モーターを起動し、前記第二ネジボルトを逆方向に連動させて回転させ、そして前記スライディングブロックを復位させ、前記透明板と前記水晶板とを貼り合わせることで、より便利な展示を取り上げることを特徴とする水晶フレーム。